(57)【要約】【課題】アンバランス修正を容易に行うことができ、高速回転を行っても振動の少ない送風ファンを提供することにある。【解決手段】インペラ２０を回転駆動させるモータ３０は、シャフト１０に固定されるロータマグネット３１と、ロータマグネット３１と対向して配置されるステータ３２を備え、インペラカップ２１に対して軸方向下方に配置されている。ステータ３２は、ステータ保持部４０の内周面に固定されており、インペラカップ２１の開口側端部２１ａは、ステータ保持部４０の上面４０ｂと対向して配置されている。ステータ保持部４０の上面４０ｂは、少なくともインペラカップ２１の開口側端部２１ａと対向する部位において、インペラカップ２１の開口側端部２１ａとの距離が、ステータ保持部４０の上面４０ｂの他の部位における距離よりも大きくなった拡大部４０ｂを有している。【選択図】図１
2012087748.tif 000002
【特許請求の範囲】
【請求項１】
シャフトと共に回転軸を中心に回転するインペラと、
前記インペラを回転駆動させるモータと
を備え、
前記インペラは、前記シャフトと共に回転する略円筒状のインペラカップと、該インペラカップの外周面に形成された複数の羽根とを有し、
前記モータは、前記シャフトに固定される略環状のロータマグネットと、前記ロータマグネットと対向して配置されるステータを備え、
前記モータは、前記インペラカップに対して、軸方向下方に配置されており、
前記モータを構成するステータは、略円筒状のステータ保持部の内周面に固定されており、
前記インペラカップの開口側端部は、前記ステータ保持部の上面と対向して配置されており、
前記ステータ保持部の上面は、少なくとも前記インペラカップの開口側端部と対向する部位において、前記インペラカップの開口側端部との距離が、前記ステータ保持部の上面の他の部位における距離よりも大きくなった拡大部を有している、送風ファン。
【請求項２】
請求項１に記載の送風ファンであって、
前記拡大部は、径方向外方に向けて軸方向下方に傾斜するテーパ部となっている、送風ファン。
【請求項３】
請求項２に記載の送風ファンであって、
前記テーパ部は、軸方向下方に湾曲するＲ部を有している、送風ファン。
【請求項４】
請求項１に記載の送風ファンであって、
前記拡大部は、段差部となっている、送風ファン。
【請求項５】
請求項１又は２に記載の送風ファンであって、
前記インペラ及び前記モータの外周を囲むハウジングは、軸方向に分割された第１のハウジングと第２のハウジングとで構成され、
前記ステータ保持部は、前記第１のハウジングに支持されている、送風ファン。
【請求項６】
請求項５に記載の送風ファンであって、
前記第１のハウジングと前記第２のハウジングとの分割位置は、少なくとも前記インペラカップの開口側端部よりも軸方向下方に位置している、送風ファン。
【請求項７】
請求項５に記載の送風ファンであって、
前記第１のハウジングと前記第２のハウジングとの分割位置は、前記テーパ部の軸方向下端部よりも軸方向下方に位置している、送風ファン。
【請求項８】
請求項１に記載の送風ファンであって、
前記インペラカップの外径は、前記ステータ保持部の外径と略同一、もしくは前記ステータ保持部の外径よりも小さい、送風ファン。
【請求項９】
請求項１に記載の送風ファンであって、
前記インペラカップの径方向内方に、前記シャフトを軸受を介して回転可能に支持する軸受保持部が配置されている、送風ファン。
【請求項１０】
請求項９に記載の送風ファンであって、
前記軸受保持部は、該軸受保持部の軸方向下端部において、前記ステータ保持部の上面と連結されている、送風ファン。
【請求項１１】
請求項５に記載の送風ファンであって、
前記ステータ保持部は、該ステータ保持部の外周面に固定された複数のリブを介して、前記第１のハウジングに支持されている、送風ファン。
【請求項１２】
請求項１１に記載の送風ファンであって、
前記複数のリブは、前記拡大部の軸方向下端部よりも軸方向下方において、前記ステータ保持部の外周面に固定されている、送風ファン。
【請求項１３】
請求項１に記載の送風ファンであって、
前記ステータ保持部の上面と、前記インペラカップの開口側端部との距離は、４ｍｍ以下である、送風ファン。
【請求項１４】
請求項１に記載の送風ファンであって、
前記インペラカップの開口側端部は、少なくとも前記インペラ、前記シャフト、及び前記ロータマグネットを含む回転物の偏重心を調整するバランス調整部位をなしている、送風ファン。
【請求項１５】
シャフトと共に回転軸を中心に回転するインペラと、
前記インペラを回転駆動させるモータと
を備え、
前記インペラは、前記シャフトに固定された略円筒状のインペラカップと、該インペラカップの外周面に形成された複数の羽根とを有し、
前記モータは、前記インペラカップに対して、径方向内方に配置されており、
前記モータを構成するステータは、略円筒状のステータ保持部の内周面に固定されており、
前記ステータ保持部は、該ステータ保持部の外周面から径方向外方に広がるベース部を有し、
前記インペラカップの開口側端部は、前記ベース部の軸方向上方端部に対向して配置されており、
前記ベース部の軸方向上方端部は、少なくとも前記インペラカップの開口側端部と対向する部位において、前記インペラカップの開口側端部との距離が、前記ベース部の軸方向上方端部の他の部位における距離よりも大きくなった拡大部を有している、送風ファン。
【請求項１６】
請求項１５に記載の送風ファンであって、
前記インペラ及び前記モータの外周を囲むハウジングは、軸方向に分割された第１のハウジングと第２のハウジングとで構成され、
前記ステータ保持部は、前記第１のハウジングに支持されており、
前記第１のハウジングと前記第２のハウジングとの分割位置は、少なくとも前記インペラカップの開口側端部よりも軸方向下方に位置している、送風ファン。
【請求項１７】
請求項１５に記載の送風ファンであって、
前記インペラカップの外径は、前記ベース部の外径と略同一、もしくは前記ベース部の外径よりも小さい、送風ファン。
【請求項１８】
請求項１５に記載の送風ファンであって、
前記ステータの径方向内方に、前記シャフトを軸受を介して回転可能に支持する軸受保持部が配置され、
前記ステータの径方向内方に、該ステータに対向して、前記シャフトと共に回転するロータマグネットが配置され、
前記軸受保持部は、連結部を介して前記ステータ保持部に連結されている、送風ファン。
【請求項１９】
シャフトと共に回転軸を中心に回転するインペラと、
前記インペラを回転駆動させるモータと
を備え、
前記インペラは、前記シャフトに固定された略円筒状のインペラカップと、該インペラカップの外周面に形成された複数の羽根とを有し、
前記モータは、前記インペラカップに対して、径方向内方に配置されており、
前記モータを構成するステータは、略円筒状のステータ保持部の外周面に固定されており、
前記ステータ保持部は、該ステータ保持部の外周面から径方向外方に広がるベース部を有し、さらに、該ベース部の径方向外方端部において、軸方向上方に伸びる周壁を有し、
前記インペラカップの開口側端部は、前記周壁の軸方向端部に対向して配置されており、
前記周壁の軸方向端部は、少なくとも前記インペラカップの開口側端部と対向する部位において、前記インペラカップの開口側端部との距離が、前記周壁の軸方向端部の他の部位における距離よりも大きくなった拡大部を有している、送風ファン。
【請求項２０】
請求項１９に記載の送風ファンであって、
前記インペラ及び前記モータの外周を囲むハウジングは、軸方向に分割された第１のハウジングと第２のハウジングとで構成され、
前記ステータ保持部は、前記ベース部を介して前記第１のハウジングに支持されており、
前記第１のハウジングと前記第２のハウジングとの分割位置は、前記テーパ部の軸方向下端部よりも軸方向下方に位置している、送風ファン。
【請求項２１】
請求項１９に記載の送風ファンであって、
前記インペラカップの外径は、前記周壁の外径と略同一、もしくは前記インペラカップの外径よりも大きい、送風ファン。
【請求項２２】
請求項１９に記載の送風ファンであって、
前記ステータの径方向外方に、該ステータに対向して、前記シャフトと共に回転するロータマグネットが、前記インペラカップの内周面に固定されており、
前記ステータ保持部の内周面において、前記シャフトが軸受を介して回転可能に支持されている、送風ファン。
【発明の詳細な説明】
【技術分野】
【０００１】
本発明は、電子機器の冷却等に使用される送風ファンに関する。
【背景技術】
【０００２】
従来、送風ファンを駆動するモータは、組立工程の容易さや、部品点数の低減等の理由から、ステータの外側にロータが配置されるアウターロータ型が主に使用されている。また、性能面でも、アウターロータ型のモータは、慣性モーメントが大きく、駆動トルクも大きくできるので定速度性に優れている。
【０００３】
一方、近年の電子機器の高密度化に伴い、電子機器の発熱量も増大し、これを冷却する送風ファンも、より高速回転が求められている。しかしながら、アウターロータ型のモータは、その慣性モーメントが大きいが故に、ファンの回転速度を大きくしていくと、振動が大きくなり、強度的な面で問題が生じるおそれがある。
【０００４】
そこで、ステータの内側にロータを配置したインナーロータ型のモータを使用すれば、アウターロータ型のモータに比して慣性モーメントが小さいために、より高速回転化が可能となる。
【０００５】
インナーロータ型のモータを使用した送風ファンとしては、例えば、特許文献１に、軸受けを保持する保持部と、ステータを保持する保持部とが一体となって構成されたモータ支持部を備えた送風ファンが記載されている。
【０００６】
しかしながら、特許文献１に記載されたインナーロータ型の送風ファンでは、回転軸から径方向外方に向けて、軸受保持部、ロータホルダ（ロータマグネット）、ステータ、ステータ保持部、インペラカップ及び翼が配置される。そして、径方向において、軸受保持部とロータホルダとの間、ロータホルダとステータとの間、ステータ保持部とインペラカップとの間には、それぞれ、一定の隙間が設けられている。
【０００７】
一方、アウターロータ型の送風ファンでは、回転軸から径方向外方に向けて、軸受保持部、ステータ、ロータホルダ（ロータマグネット）、インペラカップ及び翼が配置される。そして、軸受保持部は、ステータ保持部を兼ねており、また、インペラカップは、ロータホルダの外周に圧入されているため、径方向において、ステータとインペラカップとの間にのみ一定の隙間が設けられている。
【０００８】
従って、インナーロータ型の送風ファンは、アウターロータ型の送風ファンに比べて、径方向に配置される構成部品が増えるため、モータ部の径方向寸法が大きくなってしまう。
【０００９】
特許文献２には、ロータマグネットをシャフトに固定し、インペラ及び軸受保持部と、モータ部とを軸方向に分離した構成のインナーロータ型の送風ファンが記載されている。このような構成のインナーロータ型の送風ファンでは、回転軸から径方向外方に向けて、ロータマグネット、ステータ及びステータ保持部が配置され、かつ、径方向において、ロータマグネットとステータとの間にのみ一定の隙間が設けられている。そのため、モータ部の径方向寸法を小さくすることができる。
【先行技術文献】
【特許文献】
【００１０】
【特許文献１】米国特許出願公開２００９／０１８０９０１号明細書
【特許文献２】特開２００６−３２２４５１号公報
【発明の概要】
【発明が解決しようとする課題】
【００１１】
特許文献２に記載されたインナーロータ型の送風ファン（以下、「従来の送風ファン」という）では、シャフトが軸受保持部に支持され、インペラとロータマグネットが、軸受保持部に対して、軸方向上下に分離した状態でシャフトに連結される。従って、インペラ、シャフト、及びロータマグネットを含む回転物の偏重心から発生するアンバランスの修正は、回転物が一体となった状態で行う必要がある。すなわち、インペラ、シャフト、及びロータマグネットを含む回転物の組立後に、回転物のアンバランス修正を行う必要がある。なお、アンバランスの修正は、回転物の重心付近で、かつ、軸中心から径方向に最も遠い位置で行うことが、モーメントの関係上、修正量を少なくできる。そのため、アンバランスの修正は、通常、インペラカップの開口部端部において行われる。
【００１２】
一方、従来の送風ファンでは、インペラと略円筒状のステータ保持部が、軸方向において対峙して配置されるが、風洞部の通風抵抗を低減するためには、インペラカップの外径とステータ保持部の外径とは、ほぼ同一であることが好ましい。さらに、ステータ保持部の外周を流れる風への抵抗を小さくするには、インペラカップとステータ保持部との距離を小さくすることが好ましい。
【００１３】
しかしながら、このような配置を行うと、インペラカップの開口部端部が、ステータ保持部に近接するため、アンバランス修正を行うスペースを確保することができず、送風ファンの組立後にアンバランス修正を行うことが困難になる。
【００１４】
従来の送風ファンでは、インペラ、シャフト、及びロータマグネットを含む回転物は、慣性モーメントが小さいことに加え、軸方向に長くなっているため、組立誤差による重心の位置ずれが起きやすい。そのため、回転物のアンバランス修正が十分にできていないと、送風ファンを高速回転化した場合、アンバランスによる振動の発生がより顕著になる。
【００１５】
本発明は、かかる点に鑑みなされたもので、アンバランス修正を容易に行うことができ、高速回転を行っても振動の少ない送風ファンを提供することを目的とする。
【課題を解決するための手段】
【００１６】
上記の課題を解決するために、本発明は、モータとインペラとが軸方向に分離して配置されたインナーロータ型の送風ファンにおいて、インペラカップの開口側端部と対峙するステータ保持部の上面に、アンバランス修正を行うスペースを確保する部位（拡大部）を設けた構成を採用する。
【００１７】
すなわち、本発明に係る送風ファンは、シャフトと共に回転軸を中心に回転するインペラと、インペラを回転駆動させるモータとを備え、
インペラは、シャフトと共に回転する略円筒状のインペラカップと、該インペラカップの外周面に形成された複数の羽根とを有し、
モータは、シャフトに固定される略環状のロータマグネットと、ロータマグネットと対向して配置されるステータを備え、
モータは、インペラカップに対して、軸方向下方に配置されており、
モータを構成するステータは、略円筒状のステータ保持部の内周面に固定されており、
インペラカップの開口側端部は、ステータ保持部の上面と対向して配置されており、
ステータ保持部の上面は、少なくともインペラカップの開口側端部と対向する部位において、インペラカップの開口側端部との距離が、ステータ保持部の上面の他の部位における距離よりも大きくなった拡大部を有していることを特徴とする。
【発明の効果】
【００１８】
本発明によれば、モータとインペラとが軸方向に分離して配置されたインナーロータ型の送風ファンにおいて、インペラカップの開口側端部と対峙するステータ保持部の上面に、インペラカップの開口側端部との距離が大きくなった拡大部が形成されているため、アンバランス修正を容易に行うことができる。これにより、高速回転を行っても振動の小さい送風ファンを実現することができる。
【図面の簡単な説明】
【００１９】
【図１】本発明の第１の実施形態における送風ファンの構成を模式的に示した断面図である。
【図２】図１のインペラカップの開口側端部及びステータ保持部の上面の近傍を拡大して示した半断面図である。
【図３】（ａ）〜（ｄ）は、拡大部の形状の一例を示した部分断面図である。
【図４】（ａ）、（ｂ）は、拡大部の形状の他の例を示した部分断面図である。
【図５】本実施形態における送風ファンの組立方法の一例を説明した断面図である。
【図６】本実施形態における送風ファンの組立方法の一例を説明した断面図である。
【図７】本実施形態における送風ファンの組立方法の一例を説明した断面図である。
【図８】本実施形態における送風ファンの組立方法の一例を説明した断面図である。
【図９】本発明の第２の実施形態における送風ファンの構成を示した断面図である。
【図１０】本発明の第３の実施形態における送風ファンの構成を示した断面図である。
【発明を実施するための形態】
【００２０】
以下、本発明の実施形態を図面に基づいて詳細に説明する。なお、本実施形態における説明では、回転軸に平行な方向を「軸方向」とし、回転軸を中心とする半径方向を「径方向」としている。また、本発明は、以下の実施形態に限定されるものではない。また、本発明の効果を奏する範囲を逸脱しない範囲で、適宜変更は可能である。さらに、他の実施形態との組み合わせも可能である。
【００２１】
（第１の実施形態）
図１は、本発明の第１の実施形態における送風ファン１００の構成を模式的に示した断面図である。なお、本発明における送風ファン１００は、いわゆる軸流ファンを構成する。
【００２２】
図１に示すように、本実施形態における送風ファン１００は、シャフト１０と共に回転軸Ｊを中心に回転するインペラ２０と、インペラ２０を回転駆動させるモータ３０とを備えている。インペラ２０は、シャフト１０と共に回転する略円筒状のインペラカップ２１と、インペラカップ２１の外周面に形成された複数の羽根２２とを有している。そして、インペラ２０の回転により、軸方向の一方から吸気され、軸方向の他方側に排気される。なお、以下の説明では、便宜上、軸方向吸気側を「上方」、軸方向排気側を「下方」という。
【００２３】
モータ３０は、シャフト１０に固定される略環状のロータマグネット３１と、ロータマグネット３１と対向して配置されるステータ３２を備えている。また、モータ３０は、インペラカップ２１に対して、軸方向下方に配置されており、モータ３０を構成するステータ３２は、略円筒状のステータ保持部４０の内周面に固定されている。
【００２４】
インペラカップ２１の径方向内方には、シャフト１０を軸受６０を介して回転可能に支持する軸受保持部５０が配置されている。そして、軸受保持部５０は、軸受保持部５０の軸方向下端部において、ステータ保持部４０の上面と連結されている。
【００２５】
インペラ２０及びモータ３０の外周を囲むハウジングは、軸方向に分割された第１のハウジング７１と第２のハウジング７２とで構成され、ステータ保持部４０は、ステータ保持部４０の外周面に固定された複数のリブ８０を介して、第１のハウジング７１に支持されている。
【００２６】
本実施形態では、図１に示すように、インペラカップ２１の開口側端部２１ａの内径は、ステータ保持部４０の上面に形成される拡大部４０ａの内径側端部よりも大きい。また、インペラカップ２１の外径は、ステータ保持部４０の外径と略同一となっているが、インペラカップ２１の外径が、ステータ保持部４０の外径よりも小さくなっていてもよい。
【００２７】
いずれの場合においても、インペラカップ２１の開口側端部２１ａは、ステータ保持部４０の上面４０ｂと対向して配置されることになる。
【００２８】
図２は、図１に示した送風ファン１００において、インペラカップ２１の開口側端部２１ａ、及びステータ保持部４０の上面４０ｂの近傍を拡大して示した半断面図である。
【００２９】
図２に示すように、ステータ保持部４０の上面４０ｂは、インペラカップ２１の開口側端部２１ａと対向する部位において、インペラカップ２１の開口側端部２１ａとの距離が、ステータ保持部４０の上面４０ｂの他の部位における距離（Ｌ）よりも大きくなった拡大部４０ａを有している。
【００３０】
距離（Ｌ）が狭くなると（例えば、２ｍｍ以下）、インペラカップ２１の開口側端部２１ａにアンバランス修正を行うことが困難になるが、本発明においては、ステータ保持部の上面に、距離（Ｌ）の大きくなった拡大部４０ａを設けることによって、アンバランス修正を行うスペースを確保することができる。これにより、アンバランス修正が容易になり、高速回転を行っても振動の小さい送風ファン１００を実現することができる。
【００３１】
ここで、本発明における「拡大部４０ａ」は、ステータ保持部の上面の少なくともインペラカップ２１の開口側端部２１ａと対向する部位に設けられていればよい。また、「拡大部４０ａ」は、必ずしもインペラカップ２１の開口側端部２１ａと対向する全ての部位に設けられていなくてもよく、また、インペラカップ２１の開口側端部２１ａと対向する部位だけでなく、ステータ保持部の上面の他の部位に及んで設けられていてもよい。また、「拡大部４０ａ」の形状は特に限定されず、例えば、テーパ形状、段差形状等の形状を取ることができる。
【００３２】
図３（ａ）〜（ｄ）は、拡大部４０ａの形状の一例を示した部分断面図である。
【００３３】
図３（ａ）に示した拡大部４０ａは、径方向外方に向けて軸方向下方に傾斜するテーパ部となっている。ここでは、テーパ部は、インペラカップ２１の開口側端部２１ａと対向する部位の一部に形成されているが、勿論、インペラカップ２１の開口側端部２１ａと対向する部位全体に亘って形成されていてもよい。また、テーパ部の角度は特に制限されず、また、途中で角度の変わったテーパ部であってもよい。
【００３４】
図３（ｂ）に示した拡大部４０ａは、湾曲したテーパ部となっている。ここでは、軸方向下方に湾曲したＲ部を有した形状を示しているが、軸方向上方に湾曲したＲ部を有した形状であってもよい。
【００３５】
図３（ｃ）に示した拡大部４０ａは、段差部となっている。段差の大きさは特に制限されず、また、複数の段差部であってもよい。
【００３６】
図３（ｄ）に示した拡大部４０ａは、ステータ保持部の上面のインペラカップ２１の開口側端部２１ａと対向する部位において平坦部となっており、この平坦部におけるインペラカップ２１の開口側端部２１ａとの距離が、ステータ保持部の上面の他の部位における距離よりも大きくなっている。
【００３７】
本発明において、インペラカップ２１の外径は、ステータ保持部４０の外径よりも小さくなっていてもよい。図４（ａ）、（ｂ）は、このような場合における拡大部４０ａの形状の一例を示した部分断面図である。
【００３８】
図４（ａ）に示した拡大部４０ａは、インペラカップ２１の開口側端部２１ａと対向する部位においてテーパ部となっている。なお、ステータ保持部の上面のうち、拡大部４０ａから径方向外方にある部位は、テーパ部の下端と連続する平坦部４０ｃとなっている。これにより、インペラカップ２１の開口側端部２１ａの軸方向下方に、アンバランス修正を行うスペースを確保することができる。
【００３９】
図４（ｂ）に示した拡大部４０ａは、インペラカップ２１の開口側端部２１ａと対向する部位において段差部となっている。なお、ステータ保持部の上面のうち、拡大部４０ａから径方向外方にある部位は、段差部と連続する平坦部４０ｃとなっている。
【００４０】
次に、図５〜図８を参照しながら、本実施形態における送風ファン１００の組立方法の一例を説明する。
【００４１】
図５に示すように、略円筒状のステータ保持部４０を用意する。本実施形態の場合には、ステータ保持部４０は、ステータ保持部４０の外周面に固定された複数のリブ８０を介して、第１のハウジングに支持され、ステータ保持部４０、複数のリブ８０、及び第１のハウジングは一体成形されている。
【００４２】
そして、ステータ保持部４０の軸方向下方からは、ステータ３２を、ステータ保持部４０の内周面４０ｄに圧入して、ステータ３２を、ステータ保持部４０の内周面４０ｄに固定する。
【００４３】
また、ステータ保持部４０の軸方向上方からは、シャフト１０、ロータマグネット３１、及び軸受６０が組み立てられた軸受保持部５０を、ステータ保持部４０の内周面４０ｅに圧入して、軸受保持部５０を、ステータ保持部４０の内周面４０ｅに固定する。
【００４４】
次に、図６に示すように、軸受保持部５０の軸方向上方から、インペラカップ２１の外周面に形成された複数の羽根２２を有するインペラ２０を挿入し、インペラカップ２１の中心部に形成されたボス部２１ｂをシャフト１０に圧入することにより、インペラ２０を、シャフト１０に固定する。
【００４５】
図７は、上記の手順で組み立てられた状態の断面図を示す。この組立状態で、インペラ２０、シャフト１０、及びロータマグネット３１を含む回転物が、ステータ保持部４０及び第１のハウジング７１に支持された格好となる。
【００４６】
なお、インペラ、ロータマグネット、及びシャフトが一体となった回転体を軸受けに挿入して組み立てる従来の送風ファンであれば、組立前に回転体のアンバランス修正が可能であったが、モータとインペラとが軸方向に分離して配置された構成の本発明の送風ファンでは、組立前に回転体のアンバランス修正を行うことはできない。
【００４７】
このとき、インペラカップ２１の開口側端部２１ａは、ステータ保持部４０の上面と対向して配置されているが、インペラカップ２１の開口側端部２１ａと対向するステータ保持部４０の上面には拡大部４０ａが形成されている。これにより、インペラカップ２１の開口側端部２１ａの軸方向下方に、アンバランス修正を行うスペースＡを確保することができる。従って、この組立状態で、インペラ２０、シャフト１０、及びロータマグネット３１を含む回転物のアンバランス修正を容易に行うことができる。
【００４８】
また、この組立状態では、第２のハウジング７２が第１のハウジング７１に連結されていないため、スペースＡの径方向外側は開放状態になっている。そのため、例えば、図中の矢印の方向から、回転物のアンバランス修正を容易に行うことができる。
【００４９】
なお、インペラカップ２１の開口側端部２１ａは、少なくともインペラ２０、シャフト１０、及びロータマグネット３１を含む回転物の偏重心を調整するバランス調整部位をなしている。バランス調整の方法は特に制限されないが、例えば、インペラカップ２１の開口側端部２１ａに、所定の大きさの錘を装着することによって行うことができる。また、インペラカップ２１の開口側端部２１ａに、予め錘を装着する凹部やテーパ部等を設けておいてもよい。
【００５０】
ここで、第１のハウジング７１と第２のハウジング７２との分割位置７３は、少なくともインペラカップ２１の開口側端部２１ａよりも軸方向下方に位置していることが好ましい。さらに、拡大部４０ａがテーパ部で構成されている場合、第１のハウジング７１と第２のハウジング７２との分割位置７３は、テーパ部の軸方向下端部よりも軸方向下方に位置していることがより好ましい。また、複数のリブ８０は、拡大部４０ａの軸方向下端部よりも軸方向下方において、ステータ保持部４０の外周面に固定されていることが好ましい。
【００５１】
最後に、アンバランス修正を行った後、図８に示すように、第２のハウジング７２を軸方向上方から挿入し、第１のハウジング７１と連結させる。また、モータの駆動を制御する回路基板９０を軸方向下上方から挿入し、ステータ保持部４０に固定する。これにより、図１に示した送風ファン１００を完成させる。
【００５２】
なお、本実施形態において、ステータ保持部４０を構成する材料は特に制限されない。例えば、ステータ保持部４０が樹脂で構成されている場合、ステータ保持部４０、リブ８０、及び第１のハウジング７１は、樹脂で一体成形されていてもよい。また、ステータ３２を固定するステータ保持部４０の内周面側を金属部材で構成してもよい。
【００５３】
（第２の実施形態）
本発明の第１の実施形態では、モータ３０とインペラ２０とが軸方向に分離して配置されたインナーロータ型の送風ファン１００におけるインペラ２０、シャフト１０、及びロータマグネット３１を含む回転物のアンバランス修正について説明した。
【００５４】
しかし、シャフト１０、及びロータマグネット３１を含む回転物のアンバランス修正を容易に行うためのスペース確保は、他の構造の送風ファンについても適用することができる。
【００５５】
本実施形態では、第１の実施形態とは異なる構造の送風ファンに対して、本発明を適用した例を説明する。
【００５６】
図９は、本実施形態における送風ファン１１０の構成を示した断面図である。
【００５７】
本実施形態における送風ファン１１０は、第１の実施形態における送風ファン１００と同様に、インナーロータ型の送風ファンであが、モータ３０及び軸受６０がインペラカップ２１の内側に配置されている点で、第１の実施形態における送風ファン１００とは異なる。
【００５８】
図９に示すように、本実施形態における送風ファン１１０は、シャフト１０と共に回転軸Ｊを中心に回転するインペラ２０と、インペラ２０を回転駆動させるモータ３０とを備えている。インペラ２０は、シャフト１０に固定された略円筒状のインペラカップ２１と、インペラカップ２１の外周面に形成された複数の羽根２２とを有している。
【００５９】
モータ３０は、インペラカップ２１に対して、径方向内方に配置されている。また、モータ３０を構成するステータ３２は、略円筒状のステータ保持部４０の内周面に固定されている。
【００６０】
ステータ３２の径方向内方には、シャフト１０を軸受６０を介して回転可能に支持する軸受保持部５０が配置されるとともに、ステータ３２に対向して、シャフト１０と共に回転するロータマグネット３１が配置されている。ここでは、ロータマグネット３１は、インペラカップ２１と結合した略円筒状のロータホルダ３３の外周面に固定されている。
【００６１】
また、軸受保持部５０は、連結部４３を介してステータ保持部４０に連結されている。この場合、ステータ保持部４０、連結部４３、及び軸受保持部５０は、例えば、金属部材で一体的に形成されていてもよい。
【００６２】
本実施形態においては、ステータ保持部４０は、ステータ保持部４０の外周面から径方向外方に広がるベース部４１を有し、インペラカップ２１の開口側端部２１ａは、ベース部４１の軸方向上方端部に対向して配置されている。
【００６３】
また、インペラ２０及びモータ３０の外周を囲むハウジングは、軸方向に分割された第１のハウジング７１と第２のハウジング７２とで構成され、ステータ保持部４０は、ベース部４１及びリブ８０を介して第１のハウジング７１に支持されている。
【００６４】
そして、ベース部４１の軸方向上方端部は、少なくともインペラカップ２１の開口側端部２１ａと対向する部位において、インペラカップ２１の開口側端部２１ａとの距離が、ベース部４１の軸方向上方端部の他の部位における距離よりも大きくなった拡大部４１ａを有している。
【００６５】
このように、ベース部４１の軸方向上方端部に、インペラカップ２１の開口側端部２１ａからの距離を大きくした拡大部４１ａを設けることによって、アンバランス修正を行うスペースを確保することができる。これにより、アンバランス修正が容易になり、高速回転を行っても振動の小さい送風ファン１１０を実現することができる。
【００６６】
本実施形態においても、インペラ２０、シャフト１０、及びロータマグネット３１を含む回転物のアンバランス修正は、第２のハウジング７２を第１のハウジング７１に連結する前に行うことが好ましい。これにより、インペラカップ２１の開口側端部２１ａの下方に確保されたスペースは、径方向外側で開放状態になっているため、回転物のアンバランス修正を容易に行うことができる。なお、この場合、第１のハウジング７１と第２のハウジング７２との分割位置７３は、インペラカップ２１の開口側端部２１ａよりも軸方向下方に位置していることが好ましい。
【００６７】
本実施形態では、拡大部４１ａの形状は特に制限されないが、例えば、径方向外方に向けて軸方向下方に傾斜するテーパ部とすることができる。また、このテーパ部は、軸方向下方に湾曲するＲ部を有していてもよい。あるいは、拡大部４１ａは、段差部となっていてもよい。
【００６８】
また、本実施形態では、インペラカップ２１の外径は、ベース部４１の外径と略同一であっても、あるいは、ベース部４１の外径よりも小さくてもよい。
【００６９】
なお、本実施形態において、軸受保持部５０、連結部４３、及びステータ保持部４０を、金属部材で一体的に形成した場合、ベース部４１を樹脂で形成し、ステータ保持部４０、連結部４３、及び軸受保持部５０を、ベース部４１にインサート成形で結合させて形成してもよい。あるいは、ステータ保持部４０とベース部４１とを、樹脂で一体形成してもよい。
【００７０】
（第３の実施形態）
本実施形態では、第１の実施形態とは異なる構造の送風ファンに対して、本発明を適用した他の例を説明する。
【００７１】
図１０は、本実施形態における送風ファン１２０の一例を示した断面図である。
【００７２】
本実施形態における送風ファン１２０は、アウターロータ型の送風ファンである点と、モータ３０及び軸受６０がインペラカップ２１の内側に配置されている点で、第１の実施形態における送風ファン１００と異なる。
【００７３】
図１０に示すように、本実施形態における送風ファン１２０は、シャフト１０と共に回転軸Ｊを中心に回転するインペラ２０と、インペラ２０を回転駆動させるモータ３０とを備えている。インペラ２０は、シャフト１０に固定された略円筒状のインペラカップ２１と、インペラカップ２１の外周面に形成された複数の羽根２２とを有している。
【００７４】
モータ３０は、インペラカップ２１に対して、径方向内方に配置されており、モータ３０を構成するステータ３２は、略円筒状のステータ保持部４０の外周面に固定されている。
【００７５】
ステータ３２の径方向外方には、ステータ３２に対向して、シャフト１０と共に回転するロータマグネット３１が、インペラカップ２１の内周面に固定されている。ここでは、ロータマグネット３１は、インペラカップ２１の内周面に圧入された略円筒状のロータホルダ３３の内周面に固定されている。また、ステータ保持部４０の内周面において、シャフト１０が軸受６０を介して回転可能に支持されている。すなわち、ここでは、ステータ保持部４０は、軸受保持部を兼ねている。
【００７６】
本実施形態におけるステータ保持部４０は、ステータ保持部４０の外周面から径方向外方に広がるベース部４１を有し、さらに、ベース部４１の径方向外方端部において、軸方向上方に伸びる周壁４２を有し、インペラカップ２１の開口側端部２１ａは、周壁４２の軸方向端部に対向して配置されている。
【００７７】
また、インペラ２０及びモータ３０の外周を囲むハウジングは、軸方向に分割された第１のハウジング７１と第２のハウジング７２とで構成され、ステータ保持部４０は、ベース部４１、周壁４２、及びリブ８０を介して第１のハウジング７１に支持されている。
【００７８】
そして、周壁４２の軸方向端部は、インペラカップ２１の開口側端部２１ａと対向する部位において、インペラカップ２１の開口側端部２１ａとの距離が、周壁４２の軸方向端部の他の部位における距離よりも大きくなった拡大部４２ａを有している。
【００７９】
このように、周壁４２の軸方向上方端部に、インペラカップ２１の開口側端部２１ａからの距離を大きくした拡大部４１ａを設けることによって、アンバランス修正を行うスペースを確保することができる。これにより、アンバランス修正が容易になり、高速回転を行っても振動の小さい送風ファン１２０を実現することができる。
【００８０】
本実施形態においても、インペラ２０、シャフト１０、及びロータマグネット３１を含む回転物のアンバランス修正は、第２のハウジング７２を第１のハウジング７１に連結する前に行うことが好ましい。これにより、インペラカップ２１の開口側端部２１ａの下方に確保されたスペースは、径方向外側で開放状態になっているため、回転物のアンバランス修正を容易に行うことができる。なお、この場合、第１のハウジング７１と第２のハウジング７２との分割位置７３は、インペラカップ２１の開口側端部２１ａよりも軸方向下方に位置していることが好ましい。
【００８１】
本実施形態では、拡大部４１ａの形状は特に制限されないが、例えば、径方向外方に向けて軸方向下方に傾斜するテーパ部とすることができる。また、このテーパ部は、軸方向下方に湾曲するＲ部を有していてもよい。あるいは、拡大部４１ａは、段差部となっていてもよい。
【００８２】
また、本実施形態では、インペラカップ２１の外径は、ベース部４１の外径と略同一であっても、あるいは、ベース部４１の外径よりも小さくてもよい。
【００８３】
なお、本実施形態において、ステータ保持部４０を金属部材で形成した場合、ベース部４１及び周壁４２を樹脂で形成し、ステータ保持部４０を、ベース部４１及び周壁４２にインサート成形で結合させて形成してもよい。あるいは、ステータ保持部４０、ベース部４１、及び周壁４２を、樹脂で一体形成してもよい。
【００８４】
また、本実施形態では、ステータ保持部４０の上面と、インペラカップ２１の開口側端部２１ａとの距離は特に制限されないが、ステータ保持部４０の外周を流れる風への抵抗を小さくする観点から、その距離を、例えば、４ｍｍ以下（より好ましくは、２ｍｍ以下）に小さくすることが好ましい。
【００８５】
以上、本発明を好適な実施形態により説明してきたが、こうした記述は限定事項ではなく、もちろん、種々の改変が可能である。
【符号の説明】
【００８６】
１０      シャフト 
２０      インペラ 
２１      インペラカップ 
２１ａ    開口側端部
２１ｂ    ボス部 
２２      羽根 
３０      モータ 
３１      ロータマグネット 
３２      ステータ 
３３      ロータホルダ 
３３      ロータマグネット 
４０      ステータ保持部 
４０ａ    拡大部 
４０ｂ    上面 
４０ｃ    平坦部
４０ｄ、４０ｅ    内周面 
４１      ベース部 
４１ａ    拡大部 
４２      周壁 
４３      連結部 
４２ａ    拡大部 
５０      軸受保持部 
６０      軸受 
７１      第１のハウジング 
７２      第２のハウジング 
７３      分割位置 
８０      リブ 
９０      回路基板 
１００、１１０、１２０      送風ファン
【図１】
2012087748.tif 000003
【図２】
2012087748.tif 000004
【図３】
2012087748.tif 000005
【図４】
2012087748.tif 000006
【図５】
2012087748.tif 000007
【図６】
2012087748.tif 000008
【図７】
2012087748.tif 000009
【図８】
2012087748.tif 000010
【図９】
2012087748.tif 000011
【図１０】
2012087748.tif 000012